(57)【要約】【課題】腐食するのを可及的に防ぐと共に、地震等に対する耐久性を高め、またコストダウンを図ること。【解決手段】杭ガイド兼用主部材１１がコンクリートによって形成される。この杭ガイド兼用主部材１１は、外周面に防水層が設けられる。この場合、杭ガイド兼用主部材１１の靱性を高めるため、杭ガイド兼用主部材１１の内周面に鋼材を取り付けたり、内周に鋼材を取り付ける他、外周にも鋼材を取り付けてもよい。コンクリート製の杭ガイド兼用主部材１１と、鋼材の支持部材１２とが継手部材２０によって固定される。【選択図】　図１
2004011130.tif 000002
【特許請求の範囲】
【請求項１】
杭ガイド兼用主部材と、該杭ガイド兼用主部材を支持する支持部材とを備えたジャケット構造体において、
前記杭ガイド兼用主部材を、コンクリートによって形成することを特徴とするジャケット構造体。
【請求項２】
請求項１記載のジャケット構造体において、
前記杭ガイド兼用主部材は、鉄筋コンクリート、鉄骨鉄筋コンクリート、プレストレストコンクリートのいずれかからなることを特徴とするジャケット構造体。
【請求項３】
請求項１又は２記載のジャケット構造体において、
前記杭ガイド兼用主部材は、表面に防水層が設けられていることを特徴とするジャケット構造体。
【請求項４】
請求項１から３記載のジャケット構造体において、
前記杭ガイド兼用主部材は、少なくとも内周と外周とのいずれか一方に鋼板を取り付けていることを特徴とするジャケット構造体。
【請求項５】
請求項１から４記載のジャケット構造体において、
前記支持部材を、コンクリートによって形成することを特徴とするジャケット構造体。
【請求項６】
請求項５記載のジャケット構造体において、
前記支持部材は、鉄筋コンクリート、鉄骨鉄筋コンクリート、プレストレストコンクリートのいずれかからなることを特徴とするジャケット構造体。
【請求項７】
請求項１から６記載のジャケット構造体において、
前記杭ガイド兼用主部材を前記支持部材に固定する継手部材を備えることを特徴とするジャケット構造体。
【請求項８】
請求項７記載のジャケット構造体において、
前記継手部材は、鋼材によって形成され、前記杭ガイド兼用主部材及び前記支持部材を、固定手段によって互いに固定することを特徴とするジャケット構造体。
【請求項９】
海底地盤に、杭ガイド兼用主部材と該杭ガイド兼用主部材を支持する支持部材とを備えたジャケット構造体を立設するジャケット構造体の施工方法において、
予め、コンクリート製からなる前記杭ガイド兼用主部材とコンクリート製若しくは鋼材からなる前記支持部材とをそれぞれ形成すると共に、海底地盤にパイルを打設しておき、
前記パイルに、前記杭ガイド兼用主部材を支持部材を介して立設し、
次いで、立設された杭ガイド兼用主部材に、支持部材を高さ方向に沿い順次取り付けて、前記ジャケット構造体をパイル上に立設することを特徴とするジャケット構造体の施工方法。
【請求項１０】
水底地盤に、杭ガイド兼用主部材と該杭ガイド兼用主部材を支持する支持部材とを備えたジャケット構造体を立設するジャケット構造体の施工方法において、
予め、水底地盤にパイルを打設しておき、
前記パイルに、ジャケット構造体の前記杭ガイド兼用主部材の下部を挿入しかつ固定して、ジャケット構造体を前記パイル上に立設することを特徴とするジャケット構造体の施工方法。
【請求項１１】
請求項９又は１０記載のジャケット構造体の施工方法において、
前記パイルは、コンクリート杭、鋼管杭、負の摩擦力低減杭、ＰＲＣせん断補強杭、外殻鋼管付きコンクリート杭、プレストレスト鉄筋コンクリート杭、先端拡径ＰＨＣ杭、ＪＩＳ強化杭、プレテンション方式遠心力高強度プレストレストコンクリート杭のいずれかであることを特徴とするジャケット構造体の施工方法。
【発明の詳細な説明】
【０００１】
【発明の属する技術分野】
この発明は、例えば橋脚等を海等の水底地盤に建設するときに設置されるジャケット構造体及びその施工方法に関する。
【０００２】
【従来の技術】
橋脚等を海等の水底地盤に建設するに際し、海底地盤にベタ基礎、杭基礎等が採用されるが、特に、大水深の海域等では、工期短縮化、コスト低廉化等の要求に応じられる杭基礎が有効であり、中でもジャケット基礎は特に有利である。
【０００３】
図１２に従来のジャケット構造体を示す。同図に示すジャケット構造体１は、複数の杭ガイド兼用主部材２と、その杭ガイド兼用主部材２を支持する支持部材３とで構成されている。このジャケット構造体１は、工場にて製作されると、その後台船４に積載して設置位置まで運搬され、設置位置に到達すると、図示しないクレーンによって吊り上げると共に、ジャケット構造体１のバランスをとりながら徐々に沈められて、海底地盤５にセットされる。
そして、セットされたジャケット構造体１は、図示しない杭打機が杭ガイド兼用主部材２をガイドとして杭を打ち込んだ後、その杭と杭ガイド兼用主部材２とを固定してジャケット構造体１を一体化させることで杭基礎が構成される。
【０００４】
【発明が解決しようとする課題】
ところで、従来のジャケット構造体１は、杭ガイド兼用主部材２が支持部材３によって支持されているが、杭ガイド兼用主部材２が鋼材によって製作されているので、腐食しやすい問題があった。また腐食しやすいため、地震等のような外力が作用したときの耐久性にも劣るという問題があった。更に、ジャケット構造体１は、工場にて製作され、その後、台船４で運搬されるので、コスト高となる要因となっている。
【０００５】
この発明は、このような事情を考慮してなされたもので、その目的は、腐食するのを可及的に防ぐと共に、地震等に対する耐久性を高め、またコストダウンを図ることができるジャケット構造体及びその施工方法を提供することにある。
【０００６】
【課題を解決するための手段】
上記目的を達成するために、この発明は以下の手段を提案している。
請求項１に係る発明は、杭ガイド兼用主部材と、該杭ガイド兼用主部材を支持する支持部材とを備えたジャケット構造体において、前記杭ガイド兼用主部材を、コンクリートによって形成することを特徴とする。
【０００７】
この発明に係るジャケット構造体によれば、杭ガイド兼用主部材がコンクリートで形成されているので、杭ガイド兼用主部材が腐食するのを防止することができる。
【０００８】
請求項２に係る発明は、請求項１記載のジャケット構造体において、前記杭ガイド兼用主部材は、鉄筋コンクリート、鉄骨鉄筋コンクリート、プレストレストコンクリートのいずれかからなることを特徴とする。
【０００９】
この発明に係るジャケット構造体によれば、杭ガイド兼用主部材が鉄筋コンクリートと鉄骨鉄筋コンクリートとプレストレストコンクリートとのいずれかであるので、靱性を高めることができ、地震等に対する耐久性を高めることもできる。
【００１０】
請求項３に係る発明は、請求項１又は２記載のジャケット構造体において、前記杭ガイド兼用主部材は、表面に防水層が設けられていることを特徴とする。
【００１１】
この発明に係るジャケット構造体によれば、防水層が設けられることで、杭ガイド兼用主部材の内部まで水が浸入するのを阻止でき、コンクリートが浸食されて腐食するのを確実に防げる。
【００１２】
請求項４に係る発明は、請求項１から３記載のジャケット構造体において、前記杭ガイド兼用主部材は、少なくとも内周と外周とのいずれか一方に鋼板を取り付けていることを特徴とする。
【００１３】
この発明に係るジャケット構造体によれば、杭ガイド兼用主部材がコンクリートの内外周のいずれか一方に鋼板が取り付けられているので、靱性をより高めることができ、地震等に対する耐久性をいっそう高めることができる。
特にその際、杭ガイド兼用主部材の内周に鋼板が取り付けられると、コンクリートだけで形成した場合に比較し、杭ガイド兼用主部材の内周を滑らかにできるので、杭の打ち込みを良好に行うことができる。杭ガイド兼用主部材の外周に鋼板が取り付けられると、杭ガイド兼用主部材全体の靱性をいっそう高めることができ、耐久性をいっそう高めることができる。
【００１４】
請求項５に係る発明は、請求項１から４記載のジャケット構造体において、前記支持部材を、コンクリートによって形成することを特徴とする。
【００１５】
この発明に係るジャケット構造体によれば、支持部材もコンクリートで形成されることで、杭ガイド兼用主部材と同様に腐食するのを防止できる。
【００１６】
請求項６に係る発明は、請求項５記載のジャケット構造体において、前記支持部材は、鉄筋コンクリート、鉄骨鉄筋コンクリート、プレストレストコンクリートのいずれかからなることを特徴とする。
【００１７】
この発明に係るジャケット構造体によれば、支持部材も靱性を高めることができ、ジャケット構造体全体の耐久性を確実に高めることができる。
【００１８】
請求項７に係る発明は、請求項１から６記載のジャケット構造体において、前記杭ガイド兼用主部材を前記支持部材に固定する継手部材を備えることを特徴とする。
【００１９】
この発明に係るジャケット構造体によれば、継手部材が杭ガイド兼用主部材と支持部材とを固定するので、継手部材と杭ガイド兼用主部材とを良好に組み立てることができる。
【００２０】
請求項８に係る発明は、請求項７記載のジャケット構造体において、前記継手部材は、鋼材によって形成され、前記杭ガイド兼用主部材及び前記支持部材を、固定手段によって互いに固定することを特徴とする。
【００２１】
この発明に係るジャケット構造体によれば、継手部材が固定手段によって杭ガイド兼用主部材及び支持部材を固定するので、双方を確実にかつ良好に固定することができる。
【００２２】
請求項９に係る発明は、水底地盤に、杭ガイド兼用主部材と該杭ガイド兼用主部材を支持する支持部材とを備えたジャケット構造体を立設するジャケット構造体の施工方法において、予め、コンクリート製からなる前記杭ガイド兼用主部材とコンクリート製若しくは鋼材からなる前記支持部材とをそれぞれ形成すると共に、水底地盤にパイルを打設しておき、前記パイルに、前記杭ガイド兼用主部材を支持部材を介して立設し、次いで、立設された杭ガイド兼用主部材に、支持部材を高さ方向に沿い順次取り付けて、前記ジャケット構造体をパイル上に立設することを特徴とする。
【００２３】
この発明に係るジャケット構造体の立設方法によれば、海等の水底地盤に打設されたパイルに杭ガイド兼用主部材を立設し、その杭ガイド兼用主部材に支持部材を順次組み立てるので、ジャケット構造体を良好にかつ確実に施工することができる。
【００２４】
請求項１０に係る発明は、水底地盤に、杭ガイド兼用主部材と該杭ガイド兼用主部材を支持する支持部材とを備えたジャケット構造体を立設するジャケット構造体の施工方法において、予め、水底地盤にパイルを打設しておき、前記パイルに、ジャケット構造体の前記杭ガイド兼用主部材の下部を挿入しかつ固定して、ジャケット構造体を前記パイル上に立設することを特徴とする。
【００２５】
この発明に係るジャケット構造体の施工方法によれば、組立られたジャケット構造体をそのままパイルに固定するだけであるので、水底地盤にジャケットを容易に立設することができる。
【００２６】
請求項１１に係る発明は、請求項９又は１０記載のジャケット構造体の施工方法において、前記パイルは、コンクリート杭、鋼管杭、負の摩擦力低減杭、ＰＲＣせん断補強杭、外殻鋼管付きコンクリート杭、プレストレスト鉄筋コンクリート杭、先端拡径ＰＨＣ杭、ＪＩＳ強化杭（ＰＨＣ）、プレテンション方式遠心力高強度プレストレストコンクリート杭のいずれかであることを特徴とする。
【００２７】
この発明に係るジャケット構造体の施工方法によれば、パイルが上述したいずれかの材質で形成されるので、パイルと杭ガイド兼用主部材とを確実に固定することができる。
【００２８】
【発明の実施の形態】
以下、図面を参照し、この発明の実施の形態について説明する。図１から図６はこの発明の一実施の形態に係るジャケット構造体を示す図であって、図１はジャケット構造体を示す全体図、図２は杭ガイド兼用主部材を示す拡大断面図、図３は杭ガイド兼用主部材の内周に鋼材を取り付けた説明図、図４は図３の杭ガイド兼用主部材の外周に鋼材を取り付けた説明図、図５は杭ガイド兼用主部材と支持部材とをボルトからなる固定手段で固定した要部を示す説明図、図６は杭ガイド兼用主部材と支持部材とを他の固定手段で固定した要部を示す説明図である。図１に示すジャケット構造体１０は、複数の杭ガイド兼用主部材１１と、これら杭ガイド兼用主部材１１を支持する支持部材１２とを備えている。そして、海底地盤５（図１２参照）の設置位置にセットされると、杭打機（図示せず）が杭ガイド兼用主部材１１に沿って杭（図示せず）を海底地盤５に打ち込み、その後、打ち込まれた杭とジャケット構造体１０とは互いに固定されて一体化されることで杭基礎が形成される。
【００２９】
この実施形態のジャケット構造体１０は、杭ガイド兼用主部材１１がコンクリートによって形成されている。このようなコンクリート製の杭ガイド兼用主部材１１は、図２に示すように、その表面に防水層１３が設けられている。防水層１３としては、塗膜系又はシート系の防水剤からなっており、杭ガイド兼用主部材１１の内部に水が浸入するのを阻止する。
【００３０】
この場合、杭ガイド兼用主部材１１の靱性を高めるため、例えば図３に示すように、杭ガイド兼用主部材１１の内面に鋼板１４を取り付けたり、また図４に示すように、内周に鋼板１４を取り付ける他、外周にも鋼板１５を取り付けてもよい。この場合防水層１３は不要である。
なお、杭ガイド兼用主部材１１を支持する支持部材１２は、本例では鋼材からなっており、図１のように下段の支持部材１２Ａ、中段の支持部材１２Ｂ、上段の支持部材１２Ｃなど強度上の必要本数からなっている。
【００３１】
そして、コンクリート製の杭ガイド兼用主部材１１と、鋼材の支持部材１２とが継手部材２０によって固定されている。
継手部材２０は、図５に示すように、ガイド挿通部２１と、このガイド挿通部２１に溶接等によって一体に取り付けられた支持挿通部２２とを備え、ガイド挿通部２１に杭ガイド兼用主部材１１を挿通する一方、支持挿通部２２に支持部材１２の一端部を挿通し、その状態で互いに後述する固定手段によって固定する。
【００３２】
その際、固定手段としては、図５に示すように、例えばガイド挿通部２１から杭ガイド兼用主部材１１にボルト２３を締め付けて固定すると共に、支持挿通部２２及び支持部材１２を溶接によって固定する。そのため、ガイド挿通部２１の所定位置にボルト２３の挿通孔（符示せず）が穿設され、また杭ガイド兼用主部材１１の所定位置にボルト２３と締結するするためのナット２７が設けられている。なお、上記溶接の代わりに、支持挿通２２及び支持部材１２をボルトで固定することもできる。
【００３３】
或いは、図６に示すように、ガイド挿通部２１及びこれに挿通された杭ガイド兼用主部材１１間と、支持挿通部２２及びこれに挿入された支持部材１２間とに、グラウト２５、２６をそれぞれ充填して硬化させることで固定するようにしてもよい。この場合、グラウトとしては、樹脂系、セメント系等のいずれでもよく、要は杭ガイド兼用主部材１１と支持部材１２と継手部材２０間を確実に定着させて固定し得る材質であればよい。
【００３４】
このような杭ガイド兼用主部材１１、及び支持部材１２は、ジャケット構造体１０を設置する周辺に浮かんでいる台船や浮力タンク上でそれぞれ形成された後、互いに組み立てられることでジャケット構造体１０が製作されるようになっている。
【００３５】
この実施形態のジャケット構造体１０は、上記のように構成されているので、次に、その施工方法の一実施形態を図７から図９を用いて以下に説明する。
施工に際しては、まず、台船上若しくは浮上タンク上に、杭ガイド兼用主部材１１及び支持部材１２を予め形成しておく一方、図７に示すように、ジャケット構造体１０の土台となるパイル３０を杭打機によって海底地盤５に打設する。
【００３６】
この場合、パイル３０は、施工すべき杭ガイド兼用主部材１１の取り付け角度に対応する角度で打設されており、材質としては例えば鋼管、コンクリートである。更にはそれら等を混在させたものでもよく、例えば負の摩擦力低減杭（ＳＬ杭）、ＰＲＣせん断補強杭（せん断補強杭）、外殻鋼管付きコンクリート杭（ＳＣ杭）、プレストレスト鉄筋コンクリート杭（ＰＲＣ杭）、先端拡径ＰＨＣ杭（ＳＴ杭）、ＪＩＳ強化杭（ＰＨＣ・ＪＩＳ強化杭）、プレテンション方式遠心力高強度プレストレストコンクリート杭（ＰＨＣ杭）のいずれでもよい。
【００３７】
そして、海底地盤５のパイル３０に対し、図８に示すように杭ガイド兼用主部材１１を挿入し、その杭ガイド兼用主部材１１の下部をグラウト３１で充填することでパイル３０に固定する。
このとき、杭ガイド兼用主部材１１の下部をパイル３０へ挿入するに際し、予め、杭ガイド兼用主部材１１に下段の水平部材１２Ａを継手部材２０を介して固定しておき、それらを海中に沈降させてパイル３０に連結することで杭ガイド兼用主部材１１をそれぞれ立設する。なお、杭ガイド兼用主部材１１内にグラウト等の充填剤が入り込まないように注意する必要があるのは当然である。
【００３８】
このようにして杭ガイド兼用主部材１１が立設された後、その杭ガイド兼用主部材１１に対し、図８に鎖線に示すように、中段の支持部材１２Ｂ、上段の支持部材１２Ｃを継手部材２０を介して順次固定し、また下段の支持部材１２Ａと中段の支持部材１２Ｂと上段の支持部材１２Ｃをそれぞれ鋼製の補強材（図示せず）などで連結し、これによって図９に示すように、パイル３０上にジャケット構造体１０が立設されることとなる。
【００３９】
この施工方法によれば、ジャケット構造体１０の設置すべき海上で杭ガイド兼用主部材１１及び支持部材１２Ａ〜１２Ｃである構成部品を形成しておき、海底地盤５に打設されたパイル３０に下段の支持部材１２Ａを介して杭ガイド兼用主部材１１を固定し、次いでその杭ガイド兼用主部材１１に残りの支持部材１２Ｂ、１２Ｃを順次固定することで、パイル３０上にジャケット構造体１０を立設するように構成したので、ジャケット構造体１０を現地で製作して組立ることができる。そのため、従来のように工場で製作して海上等を運搬することが不要になり、ジャケット構造体１０を大幅にコストダウンすることができる。なお、本例では予めパイル３０を打ち込んでおき後からジャケットを置いていく例を示したが、パイル３０は杭ガイド兼用主部材１１の内部に沿って打ち込み、ジャケットを組み立てていくことも可能である。
【００４０】
そして、このジャケット構造体１０によれば、杭ガイド兼用主部材１１がコンクリートによって形成されているので、杭ガイド兼用主部材１１が錆び付いて腐食するのを防止することができ、耐腐食性を高めることができ、地震などのように外力に対する耐久性をそれだけ高めることもできる。しかも、杭ガイド兼用主部材１１の表面には防水層１３が設けられ、防水層１３が内部に水が浸入するのを阻止するので、杭ガイド兼用主部材１１が水によって浸食されて腐食するのも防ぐことができる。
【００４１】
また、杭ガイド兼用主部材１１は、図４のように内周に鋼板１４が取り付けられたり、また図５のように内、外周に鋼板を取り付けられていると、靱性を高めることができ、地震等に対する耐久性をいっそう上げることができる。
【００４２】
即ち、杭ガイド兼用主部材１１の内周に鋼板１４が取り付けられると、コンクリートだけで形成した場合に比較し、コンクリートと鋼材との協働で杭ガイド兼用主部材１１の靱性を高め、耐久性を高めることができるのに加え、杭ガイド兼用主部材１１の内周面を滑らかにできるので、杭ガイド兼用主部材１１によって案内される杭の打ち込みを良好に行うことができる。一方、杭ガイド兼用主部材１１の外周に鋼板１５が取り付けられると、杭ガイド兼用主部材全体の靱性をいっそう高めることができ、耐久性をいっそう高めることができる。
【００４３】
更に、杭ガイド兼用主部材１１と支持部材１２とは、継手部材２０によって互いに固定されるので、杭ガイド兼用主部材１１をコンクリートで形成しても、両者１１、１２を良好に組み立てることができると共に、両者の接合部（格点）に充分な剛性を持たせることができる。
【００４４】
図１０及び図１１は、この発明の第２の実施の形態に係るジャケット構造体を示している。
ところで、杭ガイド兼用主部材１１及び支持部材１２の双方がコンクリート製である場合、それらを一体的に形成することが考えられるものの、そのようにすると、型構造が極めて複雑となり、労力もかさむおそれがある。
そこで、この実施形態では、支持部材１２が杭ガイド兼用主部材１１と別個にコンクリートによって形成され、このコンクリート製の支持部材１２に、継手部材２０を介して杭ガイド兼用主部材１１を固定することでジャケット構造体１０を構成するようになっている。
【００４５】
そのため、固定手段としては、図１１に示すように、例えばガイド挿通部２１から杭ガイド兼用主部材１１にボルト２３を締め付けて固定すると共に、支持挿通部２２から支持部材１２にボルト２４を締め付けて固定するようにしている。従って、この実施形態では、ガイド挿通部２１、支持挿通部２２の双方にボルト２３、２４の挿通孔（符示せず）が穿設され、また杭ガイド兼用主部材１１及び支持部材１２にボルト２３、２４と締結するするためのナット２７、２８が設けられる。
そして、このジャケット構造体１０も、前述した実施形態と同様にしてパイル３０に立設されるようになっている。
なお、図１０及び図１１において、図１から図９と同一部分には同一符号を付し、その説明を省略する。
【００４６】
この実施形態によれば、杭ガイド兼用主部材１１と支持部材１２をそれぞれコンクリートで別個に形成するので、型構造が複雑になるのを避けることができ、安価かつ容易に形成することができ、しかもコンクリートであることにより、耐腐食性をより高めることができると共に、コストダウンをいっそう図ることができる。
【００４７】
なお、図示実施形態では、杭ガイド兼用主部材１１が一般的なコンクリートで形成された例を示したが、これに限らず、例えば、鉄筋コンクリート（ＲＣ）、或いは鉄骨鉄筋コンクリート（ＳＲＣ）、更にはプレストレストコンクリート（ＰＳ）のいずれかで形成すれば、よりいっそう耐久性を高めることができる。
【００４８】
また、パイル３０に杭ガイド兼用主部材１１、支持部材１２をそれぞれ組み立ててジャケット構造体１０を立設した例を示したが、ジャケット構造体１０を予め工場、台船上、その他で組立てて一体的に立設してもよい。更には従来のジャケット構造体を立設することもできる。
【００４９】
【発明の効果】
以上説明したように、請求項１に係る発明によれば、杭ガイド兼用主部材がコンクリートで形成されているので、杭ガイド兼用主部材が腐食するのを防止でき、それだけ耐久性を高めることができる結果、防食、耐久性の信頼性を向上できる効果が得られる。
【００５０】
請求項２に係る発明によれば、杭ガイド兼用主部材がＰＳ構造、ＲＣ構造、ＳＲＣ構造のいずれかであるので、靱性を高めることができ、地震等に対する耐久性を高めることもできる効果が得られる。
【００５１】
請求項３に係る発明によれば、防水層が設けられることで、杭ガイド兼用主部材の内部まで水が浸入するのを阻止でき、コンクリートが浸食されて腐食するのを確実に防げる効果が得られる。
【００５２】
請求項４に係る発明によれば、杭ガイド兼用主部材がコンクリートの内外周のいずれか一方に鋼板が取り付けられているので、靱性をより高めることができ、地震等に対する耐久性をいっそう高めることができる効果が得られる。
【００５３】
請求項５に係る発明によれば、支持部材もコンクリートで形成されることで、杭ガイド兼用主部材と同様に腐食するのを防止できる効果が得られる。
【００５４】
請求項６に係る発明によれば、支持部材も靱性を高めることができ、ジャケット構造体全体の耐久性を確実に高めることができる効果が得られる。
【００５５】
請求項７に係る発明によれば、継手部材が杭ガイド兼用主部材と支持部材とを固定するので、継手部材と杭ガイド兼用主部材とを良好に組み立てることができる効果が得られる。
【００５６】
請求項８に係る発明によれば、杭ガイド兼用主部材及び支持部材を固定手段で互いに固定するので、双方を確実にかつ良好に固定できる効果が得られる。
【００５７】
請求項９に係る発明によれば、海底地盤に打設されたパイルに杭ガイド兼用主部材を立設し、その杭ガイド兼用主部材に支持部材を順次組み立てるので、ジャケット構造体を良好にかつ確実に施工することができる効果が得られる。
【００５８】
請求項１０に係る発明によれば、組立られたジャケット構造体をそのままパイルに固定するだけであるので、海底地盤にジャケットを容易に立設できる効果が得られる。
【００５９】
請求項１１係る発明によれば、パイルが鋼材若しくはコンクリートで形成されるので、パイルと杭ガイド兼用主部材とを確実に固定できる効果が得られる。
【図面の簡単な説明】
【図１】この発明の一実施の形態に係るジャケット構造体を示す全体図である。
【図２】杭ガイド兼用主部材を示す拡大断面図である。
【図３】杭ガイド兼用主部材の内周に鋼材を取り付けた説明図である。
【図４】図３の杭ガイド兼用主部材の外周に鋼材を取り付けた説明図である。
【図５】杭ガイド兼用主部材と支持部材とをボルト及び溶接からなる固定手段で固定した要部を示す説明図である。
【図６】杭ガイド兼用主部材と支持部材とを他の固定手段で固定した要部を示す説明図である。
【図７】ジャケット構造体の施工方法の一実施形態を示す図であって、海底地盤に打設されたパイルに杭ガイド兼用主部材を固定するときの説明図である。
【図８】パイルに固定された杭ガイド兼用主部材に支持部材を順次固定する説明図である。
【図９】パイルにジャケット構造体を立設した状態を示す説明図である。
【図１０】この発明の第２の実施の形態に係るジャケット構造体を示す全体図である。
【図１１】図１０における杭ガイド兼用主部材と支持部材とをボルトからなる固定手段で固定した要部を示す説明図である。
【図１２】従来のジャケット構造体を示す運搬時の説明図である。
【符号の説明】
５　　海底地盤（水底地盤）
１０　　ジャケット構造体
１１　　杭ガイド兼用主部材
１２、１２Ａ〜１２Ｃ　　支持部材
１３　　防水層
１４、１５　　鋼板
２０　　継手部材
２３、２４　　ボルト（固定手段）
２５、２６　　グラウト（固定手段）
３０　　パイル
【図１】
2004011130.tif 000003
【図２】
2004011130.tif 000004
【図３】
2004011130.tif 000005
【図４】
2004011130.tif 000006
【図５】
2004011130.tif 000007
【図６】
2004011130.tif 000008
【図７】
2004011130.tif 000009
【図８】
2004011130.tif 000010
【図９】
2004011130.tif 000011
【図１０】
2004011130.tif 000012
【図１１】
2004011130.tif 000013
【図１２】
2004011130.tif 000014